(57)【要約】【課題】本発明は、各輪状絶縁カバーのステータ巻線巻付面の溝を介してステータ巻線を整列巻きさせることを目的とする。【解決手段】本発明による回転検出器用ステータ構造は、第１、第２輪状絶縁カバー（３，４）に形成されステータ巻線（５）を巻回するためのステータ巻線巻付面（１０Ａ）には、複数のステータ巻線巻付用溝（１０）が形成されている構成である。【選択図】　　　　図１
2004045211.tif 000002
【特許請求の範囲】
【請求項１】
全体形状が輪状をなし内方へ向けて突出する複数の磁極（２）を有するステータ体（１）と、前記各磁極（２）に第１、第２輪状絶縁カバー（３，４）を介して設けられたステータ巻線（５）と、前記ステータ巻線（５）を覆うため前記第１、第２輪状絶縁カバー（３，４）に設けられた第１、第２輪状巻線カバー（８，９）とを備えた回転検出器用ステータ構造において、前記第１、第２輪状絶縁カバー（３，４）に形成され前記ステータ巻線（５）を巻回するためのステータ巻線巻付面（１０Ａ）には、複数のステータ巻線巻付用溝（１０）が形成されていることを特徴とする回転検出器用ステータ構造。
【請求項２】
前記各ステータ巻線巻付用溝（１０）は、直線状でかつ並列配置されていることを特徴とする請求項１記載の回転検出器用ステータ構造。
【請求項３】
前記各輪状絶縁カバー（３，４）は、前記ステータ体（１）に対して一体モールドにより一体成形されていることを特徴とする請求項１又は２記載の回転検出器用ステータ構造。
【請求項４】
前記各輪状絶縁カバー（３，４）は、各々別体として形成され、前記ステータ体（１）に取付けられていることを特徴とする請求項１又は２記載の回転検出器用ステータ構造。
【発明の詳細な説明】
【０００１】
【発明の属する技術分野】
本発明は、回転検出器用ステータ構造に関し、特に、各輪状巻線カバーのステータ巻線巻付面に溝を形成し、この溝に沿ってステータ巻線を巻付けることにより整列巻きを達成するための新規な改良に関する。
【０００２】
【従来の技術】
従来、用いられていたこの種の回転検出器用ステータ構造としては、例えば、図５から図８で示される構成を挙げることができる。
図５から図８において符号１で示されるものはロータ１Ａを内設できるように全体形状が輪状をなすと共に内方に向けて複数の磁極２が突出して形成されたステータ体であり、このステータ体１の両面には各磁極２に沿って突出した形状を有する一対の第１、第２輪状絶縁カバー３、４が設けられ、この各輪状絶縁カバー３、４を介して各磁極２にステータ巻線５が巻回されている。
【０００３】
前記各輪状絶縁カバー３、４の外面には、図６及び図７で示されるように、第１、第２輪状巻線カバー８、９が設けられ、各磁極２に巻回されたステータ巻線５が各輪状巻線カバー８、９によって覆われている。尚、この各輪状絶縁カバー３、４は各々別体の場合と、インサート成形で一体モールドの場合と両方用いられている。
【０００４】
【発明が解決しようとする課題】
従来の回転検出器用ステータ構造は、以上のように構成されていたため、次のような課題が存在していた。
すなわち、各輪状巻線カバーにおけるステータ巻線を巻付けるためのステータ巻線巻付面が平坦面であるため、ステータ巻線の巻線状態が図８のように整列状とならず、不整列巻線となっていた。
すなわち、自動巻線機でステータ巻線を巻付ける場合、巻線機のニードルの軌道をステータ巻線の線径ピッチで精密にプログラムしても、バラツキが発生し、前述のような不整列巻きとなって、設計値通りの高精度な回転検出精度を達成することが困難であった。
【０００５】
本発明は、以上のような課題を解決するためになされたもので、特に、各輪状巻線カバーのステータ巻線巻付面に溝を形成し、この溝に沿ってステータ巻線を巻付けることにより整列巻きを達成するようにした回転検出器用ステータ構造を提供することを目的とする。
【０００６】
【課題を解決するための手段】
本発明による回転検出器用ステータ構造は、全体形状が輪状をなし内方へ向けて突出する複数の磁極を有するステータ体と、前記各磁極に第１、第２輪状絶縁カバーを介して設けられたステータ巻線と、前記ステータ巻線を覆うため前記第１、第２輪状絶縁カバーに設けられた第１、第２輪状巻線カバーとを備えた回転検出器用ステータ構造において、前記第１、第２輪状絶縁カバーに形成され前記ステータ巻線を巻回するためのステータ巻線巻付面には、複数のステータ巻線巻付用溝が形成されている構成であり、また、前記各ステータ巻線巻付用溝は、直線状でかつ並列配置されている構成であり、また、前記各輪状絶縁カバーは、前記ステータ体に対して一体モールドにより一体成形されている構成であり、また、前記各輪状絶縁カバーは、各々別体として形成され、前記ステータ体に取付けられている構成である。
【０００７】
【発明の実施の形態】
以下、図面と共に本発明による回転検出器用ステータ構造の好適な実施の形態について説明する。尚、従来例と同一又は同等部分には同一符号を付して説明する。
図１から図４において符号１で示されるものはロータ１Ａを内設できるように全体形状が輪状をなすと共に内方に向けて複数の磁極２が突出して形成されたステータ体であり、このステータ体１の両面には各磁極２に沿って突出した形状を有する一対の第１、第２輪状絶縁カバー３、４を介して各磁極２にステータ巻線５が巻回されている。
【０００８】
前記各磁極２のステータ巻線巻付面１０Ａには、図１から図３で示されるように、この磁極２の突出方向すなわちステータ体１の半径方向に対して直交する方向に複数のステータ巻線巻付用溝１０が直線状に形成されており、各ステータ巻線巻付用溝１０は互いに並列配置されている。
【０００９】
前述のステータ体１の各磁極２に対してステータ巻線５を巻付ける場合、図示しない自動巻線機のニードルを周知のプログラム制御によって磁極２の周囲に回転させると、ステータ巻線５はこの各ステータ巻線巻付用溝１０内に巻付けられ、各ステータ巻線巻付用溝１０と同じ形状配列で図４に示されるように整列巻線が達成される。
【００１０】
前記各輪状絶縁カバー３、４のステータ巻線５の外面には、図２及び図３で示されるように、第１、第２輪状巻線カバー８、９が設けられ、各磁極２に巻回されたステータ巻線５が各輪状巻線カバー８、９によって覆われている。
尚、この各輪状絶縁カバー３、４は、各々別体の場合と、インサート成形で一体モールドの場合と両方用いられている。
【００１１】
【発明の効果】
本発明による回転検出器用ステータ構造は、以上のように構成されているため、次のような効果を得ることができる。
すなわち、各輪状絶縁カバーのステータ巻線巻付面に形成されたステータ巻線巻付用溝が直線状でかつ並列配置されているため、巻付けたステータ巻線も容易かつ確実に整列巻線を行うことができ、歩留まりの向上及び回転検出精度の向上を得ることができる。
【図面の簡単な説明】
【図１】本発明による回転検出器用ステータ構造のステータ巻線を巻付けていない状態を示す平面図である。
【図２】図１の断面図である。
【図３】図２のＢ部の拡大図である。
【図４】図１のステータ体にステータ巻線を巻付けた状態を示す要部の平面図である。
【図５】従来構成のステータ巻線を巻付けていない状態を示す平面図である。
【図６】図５の断面図である。
【図７】図６のＢ部を示す拡大図である。
【図８】図５のステータ体にステータ巻線を巻付けた状態を示す要部の平面図である。
【符号の説明】
１　　ステータ体
２　　磁極
３、４　　第１、第２輪状絶縁カバー
５　　ステータ巻線
８、９　　第１、第２輪状巻線カバー
１０　　ステータ巻線巻付用溝
１０Ａ　　ステータ巻線巻付面
【図１】
2004045211.tif 000003
【図２】
2004045211.tif 000004
【図３】
2004045211.tif 000005
【図４】
2004045211.tif 000006
【図５】
2004045211.tif 000007
【図６】
2004045211.tif 000008
【図７】
2004045211.tif 000009
【図８】
2004045211.tif 000010